(57)【要約】【課題】  仮設足場に取り付けする際、別体の取付用部品が不要で製品管理が容易であり、仮設足場に対する取り付け状態を長期にわたって良好な状態に維持可能な仮設足場用養生シートを提供すること。【解決手段】  矩形に形成されたシート体１２と、シート体１２のうち、少なくとも第１外周辺１２Ａには、第１外周辺１２Ａの長手方向に沿って所要間隔をあけて第１ベルト１４Ａが配設され、第１外周辺１２Ａに向かい合う第２外周辺１２Ｂには、第１外周辺１２Ａの長手方向における第１ベルト１４Ａの配設位置に位置合わせした状態で第１ベルト挿通体１６Ａと第１ベルト締結体１８Ａとがそれぞれ配設されていることを特徴とする仮設足場用養生シート１０である。【選択図】図６
2018012979.tif 000002
【特許請求の範囲】
【請求項１】
仮設足場の外表面を覆うようにして配設することにより前記仮設足場を養生するための仮設足場用養生シートであって、
矩形に形成されたシート体と、
前記シート体のうち、少なくとも第１外周辺には、前記第１外周辺の長手方向に沿って所要間隔をあけて第１ベルトが配設されていて、
前記第１外周辺に向かい合う位置の第２外周辺には、前記第１外周辺の長手方向における前記第１ベルトの配設位置に位置合わせした状態で第１ベルト挿通体と第１ベルト締結体とがそれぞれ配設されていることを特徴とする仮設足場用養生シート。
【請求項２】
前記第１外周辺には、前記第１ベルトの配設位置に位置合わせして第２ベルト締結体がさらに配設されていて、
前記第２外周辺には、前記第１ベルト挿通体および前記第１ベルト締結体の配設位置に位置合わせして第２ベルトがさらに配設されていることを特徴とする請求項１記載の仮設足場用養生シート。
【請求項３】
前記第１ベルト挿通体と前記第１ベルト締結体の前記シート体への配設位置は、前記第１ベルトの前記シート体への取り付け位置よりも前記シート体の内側位置であることを特徴とする請求項１または２記載の仮設足場用養生シート。
【請求項４】
前記第１ベルト締結体の前記シート体への配設位置は、前記第１ベルト挿通体の前記シート体への配設位置よりも前記シート体の内側位置であることを特徴とする請求項１〜３のうちのいずれか一項に記載の仮設足場用養生シート。
【請求項５】
前記第１外周辺と前記第２外周辺のそれぞれには、少なくとも一箇所に磁石が取り付けられていることを特徴とする請求項１〜４のうちのいずれか一項に記載の仮設足場用養生シート。
【請求項６】
前記シート体には、前記仮設足場に配設された筋交の位置に位置合わせして第３ベルト締結体が取り付けられた第３ベルトが配設されていることを特徴とする請求項１〜５のうちのいずれか一項に記載の仮設足場用養生シート。
【発明の詳細な説明】
【技術分野】
【０００１】
本発明は仮設足場用養生シートに関する。
【背景技術】
【０００２】
建物の建設現場には仮設足場が構築されることが多い。建設現場においては、仮設足場の内側部分で発生した騒音やほこりが仮設足場の外側空間に漏れ出さないようにするため、仮設足場の外表面には仮設足場を覆うようにして仮設足場用養生シートが取り付けられている。このような仮設足場用養生シートは、特許文献１に開示されているように、シート体の外周辺にハト目が所要間隔をあけて配設されていて、紐状体をハト目に通して仮設足場の支柱である単管に縛りつけることにより取り付けされていることが多い。
【先行技術文献】
【特許文献】
【０００３】
【特許文献１】特許第２５９０６７２号公報
【発明の概要】
【発明が解決しようとする課題】
【０００４】
このように、従来構成の仮設足場用養生シートを仮設足場に取り付けする際には、シート体とは別体の紐状体が取付用部品として必要になる。つまり、仮設足場用養生シートの取り扱いをするにあたり部品数が増えてしまうと共に、紐状体の更新や補充が頻繁に発生するため製品コストが高騰する要因になるといった課題がある。また、シート体１枚に対して複数本の紐状体を複数のハト目に挿通させなければならず、仮設足場用養生シートの設置や撤去に関するコストアップの要因にもなるといった課題がある。さらには、仮設足場用養生シートを長期間にわたって使用すると、シート体を取り付けている紐状体が緩んだり切れたりすることがあり、仮設足場に対してシート体が不適切な状態で取り付けられた状態になってしまうといった課題もある。
【０００５】
本発明は上記課題を解決すべくなされたものであり、シート体を仮設足場に取り付けする際に、紐状体に代表される取付用部品を別途手配する必要がなく製品管理が容易であって、しかも、シート体の仮設足場に対する取り付け状態を長期にわたって良好な状態に維持することが可能な仮設足場用養生シートの提供を目的としている。
【課題を解決するための手段】
【０００６】
上記課題を解決するために本発明者が鋭意研究した結果、以下の構成に想到した。
すなわち本発明は、仮設足場の外表面を覆うようにして配設することにより前記仮設足場を養生するための仮設足場用養生シートであって、矩形に形成されたシート体と、前記シート体のうち、少なくとも第１外周辺には、前記第１外周辺の長手方向に沿って所要間隔をあけて第１ベルトが配設されていて、前記第１外周辺に向かい合う位置の第２外周辺には、前記第１外周辺の長手方向における前記第１ベルトの配設位置に位置合わせした状態で第１ベルト挿通体と第１ベルト締結体とがそれぞれ配設されていることを特徴とする仮設足場用養生シートである。
【０００７】
これにより、取付用部品を別途手配する必要がなく、製品管理が容易であって、しかも、シート体の仮設足場に対する取り付け状態を長期にわたって良好な状態に維持することが可能になる。
【０００８】
また、前記第１外周辺には、前記第１ベルトの配設位置に位置合わせして第２ベルト締結体がさらに配設されていて、前記第２外周辺には、前記第１ベルト挿通体および前記第１ベルト締結体の配設位置に位置合わせして第２ベルトがさらに配設されていることが好ましい。
【０００９】
これにより、仮設足場用養生シートの取り付け位置が、仮設足場の端部分であっても中間部分であっても一種類の仮設足場用養生シートで対応することができるため、製品管理に要する労力を大幅に低減させることができる。
【００１０】
また、前記第１ベルト挿通体と前記第１ベルト締結体の前記シート体への配設位置は、前記第１ベルトの前記シート体への取り付け位置よりも前記シート体の内側位置であることが好ましい。
【００１１】
また、前記第１ベルト締結体の前記シート体への配設位置は、前記第１ベルト挿通体の前記シート体への配設位置よりも前記シート体の内側位置であることが好ましい。
【００１２】
これらにより、通常の要領にて隣接する仮設足場用養生シートどうしを連結するだけで互いの外周辺部分を所要幅で重複させた状態で取り付けすることができ、防音機能を有する仮設足場用養生シートとして使用する際において特に好都合である。
【００１３】
また、前記第１外周辺と前記第２外周辺のそれぞれには、少なくとも一箇所に磁石が取り付けられていることが好ましい。
【００１４】
これにより、隣接するシート体の外周辺どうしを密着させた状態にすることができるので、強風時においてもシート体の外周辺部分どうしがはだけてしまうことを防止し、仮設足場用養生シートの取り付け状態の外観を良好にすることができる。
【００１５】
また、前記シート体には、前記仮設足場に配設された筋交の位置に位置合わせして第３ベルト締結体が取り付けられた第３ベルトが配設されていることが好ましい。
【００１６】
これにより、シート体の外周辺だけでなくシート体の中央部分も仮設足場の一部に固定することができるため、仮設足場用養生シートの取り付け状態の外観をさらに良好にすることができる。
【発明の効果】
【００１７】
本発明にかかる仮設足場用養生シートの構成を採用することにより、仮設足場への取り付け用の部品を別途手配する必要がなく、取り扱いが容易になると共に製品コストの高騰を防止することができる。また、仮設足場に対するシート体の取り付け状態を長期にわたって良好な状態に維持することが可能になるため、使用時における仮設足場用養生シートの維持管理に要するメンテナンスを大幅に低減させることもできる。
【図面の簡単な説明】
【００１８】
【図１】第１実施形態における仮設足場用養生シートを示す正面図である。
【図２】図１内におけるＡ部分において、それぞれの取付ベルトを長手方向にのばした状態を示す拡大図である。
【図３】仮設足場用養生シートの仮設足場への取り付け時における状態を示す説明図である。
【図４】仮設足場用養生シートの仮設足場への取り付け時における状態を示す説明図である。
【図５】仮設足場用養生シートの仮設足場への取り付け時における状態を示す説明図である。
【図６】第２実施形態における仮設足場用養生シートを示す正面図である。
【図７】第３実施形態における仮設足場用養生シートを示す正面図である。
【図８】第４実施形態における仮設足場用養生シートを示す正面図である。
【発明を実施するための形態】
【００１９】
以下、本発明にかかる洗浄機の実施形態について、図面に基づいて具体的に説明する。
【００２０】
（第１実施形態）
図１に示すように、第１実施形態における仮設足場用養生シート１０は、シート体１２と、第１ベルト１４Ａと、第１ベルト挿通体１６Ａと、第１ベルト締結体１８Ａを有する。シート体１２は、メッシュ地の合成樹脂製シート製で、縦３４００ｍｍ、横１８００ｍｍの矩形（長方形）に形成されており、取り付け対象である仮設足場２０の基本ユニット（いわゆる枠組み足場材を縦２つおよび横２つに並べて組み合わせたもの）の縦寸法および横寸法と略同じ大きさになっている。シート体１２の第１外周辺１２Ａ，第２外周辺１２Ｂ，第３外周辺１２Ｃ，第４外周辺１２Ｄには、いずれも所要幅寸法で折り畳まれたいわゆる耳部１３が形成されている。ここでは、第２外周辺１２Ｂ（と第４外周辺１２Ｄ）における耳部１３の幅寸法（ここでは１０ｃｍとした）を他の位置における耳部１３の幅寸法（ここでは５ｃｍとした）よりも幅広に形成し、隣接する仮設足場用養生シート１０Ａ，１０Ｂどうしを連結する際において確実に重複部を形成することができるようにしている。
【００２１】
シート体１２の長手方向の第１外周辺１２Ａには、第１外周辺１２Ａの長手方向において所要間隔をあけて第１ベルト１４Ａが取り付けられて（配設されて）いる。第１ベルト１４Ａは一方の端部が先細り形状に形成されていて、他方の端部位置でシート体１２に縫製等の公知の手段により取り付けられている。ここでは第１ベルト１４Ａのシート体１２への縫製位置を第１外周辺１２Ａの耳部１３位置にしているが、耳部１３よりもシート体１２の内側位置にすることもできる。
【００２２】
シート体１２の長手方向の第２外周辺１２Ｂには、第２外周辺１２Ｂの長手方向において、第１外周辺１２Ａに取り付けられている第１ベルト１４Ａの配設位置に位置合わせした状態で第１ベルト挿通体１６Ａおよび第１ベルト締結体１８Ａが取り付けられている。第１ベルト挿通体１６Ａは取付ベルト１５Ａを介して、第１ベルト締結体１８Ａは取付ベルト１５Ｂを介してそれぞれシート体１２に取り付けられている。本実施形態においては、図１および図２に示すとおり、第１ベルト挿通体１６Ａの取付ベルト１５Ａと第１ベルト締結体１８Ａの取付ベルト１５Ｂは耳部１３の内側位置において厚さ方向に記載の順に重ねられた状態でシート体１２に取り付けられている。また、取付ベルト１５Ａよりも取付ベルト１５Ｂの方が長く形成されており、図２に示すようにそれぞれの取付ベルト１５Ａ，１５Ｂを長手方向にのばした状態にすると、第１ベルト挿通体１６Ａは第２外周辺１２Ｂよりもシート体１２側に位置し、第１ベルト締結体１８Ａは第２外周辺１２Ｂよりも外側位置（シート体１２よりも外側位置）に位置することになる。
【００２３】
シート体１２の短手方向の第３外周辺１２Ｃには、第３外周辺１２Ｃの長手方向に沿って所要間隔をあけて複数の短手側第１ベルト１４Ｂが取り付けられている。第３外周辺１２Ｃへの短手側第１ベルト１４Ｂの取り付けは、第１外周辺１２Ａにおける第１ベルト１４Ａの取り付け形態と同様にして行うことができるため、ここでの詳細な説明は省略する。
【００２４】
シート体１２の第３外周辺１２Ｃに対向する第４外周辺１２Ｄには、第４外周辺１２Ｄの長手方向に沿って所要間隔をあけて複数の第２ベルト挿通体１６Ｂおよび短手側第１ベルト締結体１８Ｂが取り付けられている。第４外周辺１２Ｄへの第２ベルト挿通体１６Ｂおよび短手側第１ベルト締結体１８Ｂの取り付けは、第２外周辺１２Ｂへの第１ベルト挿通体１６Ａおよび第１ベルト締結体１８Ａの取り付け形態と同様にして行うことができるため、ここでの詳細な説明は省略する。
【００２５】
第２ベルト挿通体１６Ｂは取付ベルト１５Ｃを用いてシート体１２に取り付けられていて、短手側第１ベルト締結体１８Ｂは取付ベルト１５Ｄを用いてシート体１２に取り付けられている。ここで、図１には第４外周辺１２Ｄにおける耳部１３の幅寸法が第２外周辺１２Ｂにおける耳部１３と同様に第１外周辺１２Ａ，第３外周辺１２Ｃにおける耳部１３の幅寸法よりも幅広の耳部１３に形成されているが、第１外周辺１２Ａ，第３外周辺１２Ｃと同じ幅寸法に形成することもできる。
【００２６】
次に、図３〜図５を参照しながら、仮設足場用養生シート１０の仮設足場２０への取り付け方法について説明をする。なお、図３〜図５においては図中の上半分が要部平面図を示し、図中の下半分が要部正面図を示している。仮設足場用養生シート１０の第１〜第４外周辺１２Ａ〜１２Ｄはいずれも仮設足場２０を構成するいわゆる枠組み足場の外側位置で隣接する他の仮設足場用養生シート１０と連結されることになる。ここでは、横方向（水平方向）に隣り合う仮設足場用養生シート１０Ａ，１０Ｂどうしを連結する方法について説明する。縦方向（高さ方向）に隣り合う仮設足場用養生シート１０どうしを連結する方法については仮設足場２０の縦部材２２を横部材（図示せず）に置き換えて同様にして行うことができるため説明を省略する。
【００２７】
図３に示すように、仮設足場２０を構成する枠組み足場の縦部材２２の位置において、一方の仮設足場用養生シート１０Ａの第１外周辺１２Ａに取り付けられている第１ベルト１４Ａを縦部材２２の外側（図３の要部平面図における上側）の面に引き出す。次に、引き出した第１ベルト１４Ａを一方の仮設足場用養生シート１０Ａの横方向（水平方向）に隣接する他方の仮設足場用養生シート１０Ｂの第２外周辺１２Ｂに取り付けられている第１ベルト挿通体１６Ａに縦部材２２の外側から挿通させた後、図中の矢印Ａの方向に引っ張り、縦部材２２の外周面に沿わせながら縦部材２２の内側位置まで引き出しする。このとき、他方の仮設足場用養生シート１０Ｂの第２外周辺１２Ｂに取り付けられている第１ベルト締結体１８Ａは、第１ベルト挿通体１６Ａと分岐させることで縦部材２２の内側位置に配置されている。
【００２８】
次に、図４に示すように、縦部材２２の外側から縦部材２２の表面に沿って縦部材２２の内側位置まで引き出してきた一方の仮設足場用養生シート１０Ａの第１ベルト１４Ａを縦部材２２の内表面側から図中の矢印Ｂに示すようにして他方の仮設足場用養生シート１０Ｂの第１ベルト締結体１８Ａに挿通させる。このとき、図４に示すように一方の仮設足場用養生シート１０Ａの第１外周辺１２Ａが縦部材２２の外表面側位置まで引き出されるようになる。
【００２９】
第１ベルト１４Ａを図４中の矢印Ｂの向きに引っ張り切った状態を図５に示す。図５に示すように、一方の仮設足場用養生シート１０Ａの第１ベルト１４Ａが引っ張られることにより、他方の仮設足場用養生シート１０Ｂの第２外周辺１２Ｂは、縦部材２２の外側位置において一方の仮設足場用養生シート１０Ａの第１外周辺１２Ａと縦部材２２との間に引き込まれることになる。これにより、隣接する仮設足場用養生シート１０Ａ，１０Ｂは所要の範囲Ｗにわたってシート体１２の横寸法（幅寸法）の一部（耳部１３どうし）を重複させた状態で縦部材２２の外表面側で連結されることになる。このシート体１２どうしが重複する範囲Ｗは、第１ベルト１４Ａの取り付け位置と、第１ベルト挿通体１６Ａの取り付け位置を適宜調整することにより任意の範囲Ｗに設定することができる。
【００３０】
このように、一方の仮設足場用養生シート１０Ａと他方の仮設足場用養生シート１０Ｂとの連結は、一方の第１外周辺１２Ａと他方の第２外周辺１２Ｂにおける複数箇所で一方の第１ベルト１４Ａと他方の第１ベルト挿通体１６Ａおよび第１ベルト締結体１８Ａによって互いのシート体１２の一部を重複させた状態で連結される。このように従来技術のような仮設足場用養生シート１０Ａ，１０Ｂどうしを連結する際において紐状体（取付用部品）を準備する必要がない（仮設足場２０の端部への取り付け位置のみ別途紐状体が必要）ため、仮設足場２０への仮設足場用養生シート１０の取り付け作業を簡単に行うことができる。また、仮設足場２０への取り付け時に別体の取付用部品を多数手配する必要がないから、製品管理が容易でランニングコストを低減させることができるメリットもある。
【００３１】
また、第１ベルト締結体１８Ａを用いて第１ベルト１４を締結しているため、仮設足場用養生シート１０を仮設足場２０の外表面に覆うようにして取り付けした後は、強風の吹き付けや時間経過によっても、仮設足場２０への仮設足場用養生シート１０の取り付けが緩んでしまうことがなく、長期にわたって良好な取り付け状態を維持することができる。仮に仮設足場２０への仮設足場用養生シート１０の取り付けが緩んでも、一方の仮設足場用養生シート１０Ａの第１ベルト１４Ａを他方の仮設足場用養生シート１０Ｂの第１ベルト締結体１８Ａに締め付け直すだけで元通りの養生状態にすることができる点においても好都合である。
【００３２】
（第２実施形態）
図６は第２実施形態における仮設足場用養生シート１０の正面図である。本実施形態においては、第１実施形態と同一の構成については第１実施形態で使用した符号を共通させることによりここでの詳細な説明を省略している。本実施形態における仮設足場用養生シート１０は、図６に示すように第１ベルト１４Ａのシート体１２への取り付け部分側端部に第２ベルト締結体１８Ｃが取り付けられていて、短手側第１ベルト１４Ｂのシート体１２への取り付け部分側端部に短手側第２ベルト締結体１８Ｄが取り付けられている。
【００３３】
また、第１ベルト挿通体１６Ａおよび第１ベルト締結体１８Ａの取付ベルト１５Ａまたは１５Ｂの一方において、シート体１２への取り付け位置から第１ベルト挿通体１６Ａまたは第１ベルト締結体１８Ａの取り付け端部とは反対側を所要長さ延ばす（延長させる）ことで第２ベルト１４Ｃを形成している。ここでは取付ベルト１５Ｂを延長させた部分を第２ベルト１４Ｃとした。また、第２ベルト挿通体１６Ｂと短手側第１ベルト締結体１８Ｂを取り付ける取付ベルト１５Ｃ，１５Ｄについても同様に行うことができる。ここでは、取付ベルト１５Ｃを延長させた部分により短手側第２ベルト１４Ｄを形成している。
【００３４】
このような仮設足場用養生シート１０の構成を採用することにより、仮設足場２０の端部においても別途紐状体を準備する必要がなくなる点において好都合である。すなわち、本実施形態の仮設足場用養生シート１０であれば、全てのベルト（第１ベルト１４Ａ，短手側第１ベルト１４Ｂ，第２ベルト１４Ｃ，短手側第２ベルト１４Ｄ）において対になるベルト締結体（第２ベルト締結体１８Ｃ，第１ベルト締結体１８Ａ，短手側第２ベルト締結体１８Ｄ，短手側第１ベルト締結体１８Ｂ）が配設されているため、仮設足場２０の縦部材２２や横部材（図示せず）に対応するすべてのベルト（第１ベルト１４Ａ，短手側第１ベルト１４Ｂ，第２ベルト１４Ｃ，短手側第２ベルト１４Ｄ）を対になっているベルト締結体（第２ベルト締結体１８Ｃ，第１ベルト締結体１８Ａ，短手側第２ベルト締結体１８Ｄ，短手側第１ベルト締結体１８Ｂ）に締結させることができる。これにより仮設足場２０への取り付け位置にかかわらず、取付用部品が不要になるため、使い勝手や製品管理のし易さがさらに向上する点において好都合である。
【００３５】
（第３実施形態）
仮設足場２０の基本ユニット（縦に２つ横に２つの枠組み足場を組み立てたもの）の大きさに合わせた寸法で仮設足場用養生シート１０を形成した場合、図７に示すように基本ユニットに取り付けられる筋交２４の位置に位置合わせして第３ベルト締結体１８Ｅが取り付けられた第３ベルト１４Ｅをシート体１２に取り付けておくこともできる。このような構成を採用することで、仮設足場２０の基本ユニットに対する仮設足場用養生シート１０の密着度をさらに高めることができるため、強風時におけるシート体１２のばたつきを抑制することができ、騒音の発生や取り付け状態の外観悪化を防止することができる点において好都合である。
【００３６】
（第４実施形態）
また、図８に示すように仮設足場用養生シート１０において、第１外周辺１２Ａおよび第２外周辺１２Ｂと第３外周辺１２Ｃおよび第４外周辺１２Ｄの少なくとも一方の対向する外周辺には、耳部１３に磁石を用いた吸着部（以下、磁気吸着部という）１９を配設してもよい。この磁気吸着部１９は磁石どうしにより吸着させる形態の他一方を磁石とし、他方を鉄板等に代表される強磁性体を配設するようにしてもよい。
【００３７】
以上、本発明にかかる仮設足場用養生シート１０について実施形態に基づいて詳細に説明したが、本発明にかかる仮設足場用養生シート１０の構成は、本実施形態に示した構成に限定されるものではない。たとえば、以上の実施形態においては、仮設足場用養生シート１０の平面寸法について具体的に説明したが、飽くまで一例であり、平面寸法は適宜変更することができる。また、シート体１２はメッシュ地の合成樹脂製シート製に限定されるものではなく、帆布等の他の素材により形成されたものであってもよい。
【００３８】
また、以上の実施形態においては、仮設足場用養生シート１０の第１〜第４外周辺１２Ａ〜１２Ｄの全てにおいてベルト１４またはベルト挿通体１６およびベルト締結体１８が配設された形態について説明しているが、この形態に限定されるものではない。少なくとも第１外周辺１２Ａおよび第２外周辺１２Ｂまたは第３外周辺１２Ｃおよび第４外周辺１２Ｄのいずれか一対にベルト（第１ベルト１４Ａ，短手側第１ベルト１４Ｂ，第２ベルト１４Ｃ，短手側第２ベルト１４Ｄ）とベルト挿通体（第１ベルト挿通体１６Ａ，第２ベルト挿通体１６Ｂ）およびベルト締結体（第１ベルト締結体１８Ａ，短手側第１ベルト締結体１８Ｂ，第２ベルト締結体１８Ｃ，短手側第２ベルト締結体１８Ｄ）が配設されていればよい。
【００３９】
また、ベルト（第１ベルト１４Ａ，短手側第１ベルト１４Ｂ，第２ベルト１４Ｃ，短手側第２ベルト１４Ｄ）とベルト挿通体（第１ベルト挿通体１６Ａ，第２ベルト挿通体１６Ｂ）およびベルト締結体（第１ベルト締結体１８Ａ，短手側第１ベルト締結体１８Ｂ，第２ベルト締結体１８Ｃ，短手側第２ベルト締結体１８Ｄ）が配設されない一対の外周辺（第１外周辺１２Ａ，第２外周辺１２Ｂまたは第３外周辺１２Ｃ，第４外周辺１２Ｄ）においては、耳部１３にハト目を少なくとも一箇所に配設しておくこともできる。ハト目は耳部１３の長手方向に沿って所要間隔に配設してもよい。そして、耳部１３の幅寸法はすべて同じ幅寸法に形成することもできる。
【００４０】
また、図７，図８には筋交２４が交差する位置に、第３ベルト締結体１８Ｅを取り付けた第３ベルト１４Ｅを取り付けした形態を示しているが、第３ベルト締結体１８Ｅを取り付けた第３ベルト１４Ｅは、筋交２４の位置に位置合わせされていればよく、それぞれの筋交２４の複数箇所に配設することもでき、図７，図８に示す形態に限定されるものではない。
【００４１】
さらには、以上の実施形態と、明細書中に記載した変形例とを適宜組み合わせた仮設足場用養生シート１０の形態を採用することも可能である。
【符号の説明】
【００４２】
１０  仮設足場用養生シート
１２  シート体，
１２Ａ  第１外周辺，１２Ｂ  第２外周辺，１２Ｃ  第３外周辺，１２Ｄ  第４外周辺，
１３  耳部
１４Ａ  第１ベルト，１４Ｂ  短手側第１ベルト，
１４Ｃ  第２ベルト，１４Ｄ  短手側第２ベルト，
１４Ｅ  第３ベルト，
１５Ａ，１５Ｂ，１５Ｃ，１５Ｄ  取付ベルト，
１６Ａ  第１ベルト挿通体，１６Ｂ  第２ベルト挿通体，
１８Ａ  第１ベルト締結体，１８Ｂ  短手側第１ベルト締結体，
１８Ｃ  第２ベルト締結体，１８Ｄ  短手側第２ベルト締結体，
１８Ｅ  第３ベルト締結体，
１９  磁気吸着部（磁石を用いた吸着部）
２０  仮設足場，２２  縦部材，２４  筋交
【図１】
2018012979.tif 000003
【図２】
2018012979.tif 000004
【図３】
2018012979.tif 000005
【図４】
2018012979.tif 000006
【図５】
2018012979.tif 000007
【図６】
2018012979.tif 000008
【図７】
2018012979.tif 000009
【図８】
2018012979.tif 000010